(57)【特許請求の範囲】
【請求項１】
リールからの釣り糸が竿体内部を挿通する中通し竿であって、元竿内部における竿尻付近に多数の雄型突起を設け、
前記雄型突起を前記元竿の竿尻付近の内周面又は前記元竿の竿尻端部の開口に装着する尻栓の内端面に形成し、
前記尻栓の内端面に形成してある前記雄型突起は、前記尻栓の内端面に接着したフック型面ファスナーで構成してある中通し竿。
【発明の詳細な説明】
【技術分野】
【０００１】
本発明は、リールから繰り出した釣り糸を元竿の釣り糸導入口から竿体内部に挿通した中通し竿に関する。
【背景技術】
【０００２】
従来、例えば特許文献１に示されるように、元竿１０に釣り糸導入ガイド１３を備え、元竿１０に開設した釣り糸導入口１４より通した釣り糸を穂先竿である中竿３の先端から導出するようにした中通し竿が知られている。この中通し竿の内面は元竿から穂先竿の先端まで滑らかな截頭円錐形である。
【０００３】
【特許文献１】特開２００５−１２５５０４号公報（図２）
【発明の開示】
【発明が解決しようとする課題】
【０００４】
特許文献１に示された中通し竿では、釣り糸をセットしたまま中竿を収納すると、中竿の外周に釣り糸が巻きついたりして纏わり付いたりすることがある。このような状態で竿を伸ばすと、元竿の内面と中竿の外面との間に糸が噛み込む糸噛み現象を起こすことがあり、このような事態が生じると中竿の所定位置への引き出しや糸の引き出しができなくなる不都合がある。
【０００５】
本発明の目的は、釣り糸をセットしたまま中竿を収納したとしても再度中竿を引き出すときに糸噛み現象の生じない中通し竿を提供することにある。
【課題を解決するための手段】
【０００６】
〔第１発明の構成〕
請求項１に係る発明（第１発明）は、リールからの釣り糸が竿体内部を挿通する中通し竿であって、元竿内部における竿尻付近に多数の雄型突起を設けてあり、前記雄型突起を元竿の竿尻付近の内周面又は元竿の竿尻端部の開口に装着する尻栓の内端面に形成し、前記尻栓の内端面に形成してある雄型突起は尻栓の内端面に接着したフック型面ファスナーで構成した点にある。
【０００７】
〔作用〕
釣り糸を竿体内部に挿通して中竿を伸ばした状態から釣り糸をセットしたまま中竿を収納する。この状態では、リールから引き出された釣り糸は元竿の釣り糸導入口より元竿の竿尻方向に向かい中竿の竿尻の開口から穂先竿先端の導出口から外部に導出された状態になっている。この状態で釣り糸が中竿の外周に巻きついていると、従来構造のものでは、中竿を引き出すときに釣り糸が中竿外周に纏わり付いた状態で引き出されるように移動し、中竿が引き出されるに従って元竿の内径が徐々に小さくなっていることから遂には、中竿外周に纏わり付いていた釣り糸が元竿の内周面との間で噛み込む糸噛み現象を起こす不都合があるが、本発明においては、元竿内部における竿尻付近に多数の雄型突起を設けてあるから、中竿を元竿内に収納してある状態で、中竿の竿尻の開口から出ている釣り糸は元竿の竿尻付近の内面に設けてある雄型突起に係止された状態となっている。この状態から中竿を引き出すと、元竿内周面と中竿外周面との間で弛んだ状態で中竿の外周に纏わり付いている釣り糸に対してテンションが掛かり、中竿の引き出しに伴って中竿に対する纏わり付きが解消される。従って、中竿を引き出す際に釣り糸が元竿との間で噛み込むことがなく、中竿を良好に引き出しセッティングできる。
【０００８】
〔発明の効果〕
従って、本第１発明によれば、釣り糸をセットしたまま中竿を収納して、再度中竿を引き出して釣りをするときに、釣り糸が竿の内部で噛み込んだり、もつれたりすることなく中竿を引き出すことができるから、そのまま釣り作業に移行することができるので、快適な釣りを楽しむことができる。
【００１０】
〔作用効果〕
雄型突起を元竿の竿尻端部の開口に装着する尻栓の内端面に形成した場合は、中竿を収納したときに中竿の竿尻端部の開口から出ている釣り糸が中竿の自重によって雄型突起側に押圧されて該雄型突起に確実に係止される。
したがって、請求項１に記載の作用及び効果を確実に発揮することができる。
【００１１】
雄型突起を元竿の竿尻付近の内周面に形成した場合は、中竿を収納したときにその自重で釣り糸が雄型突起側に押圧されて該雄型突起に係止される。一端係止された釣り糸は、雄型突起が釣り糸の引張方向に設けられる前記尻栓に設けた場合よりも離脱し難いから、中竿を引き出すときに、中竿の外周に纏わり付いている釣り糸に対して強くテンションが掛かり、中竿の引き出しに伴って中竿に対する纏わり付きが確実に解消される。従って、中竿を引き出す際に釣り糸が元竿との間で噛み込むことがなく、中竿を良好に引き出しセッティングできる。
したがって、請求項１に記載の作用及び効果を確実に発揮することができる。
【００１５】
〔作用効果〕
フック型（雄型）の面ファスナーは、釣り糸をそれに押圧することにより、確実に釣り糸を係止することができるから、製造コストが安く、安価に提供することができながら、請求項１の作用効果を確実に期待できる。
【発明を実施するための最良の形態】
【００２０】
海釣り、磯釣り等に使用される中通し竿Ａについて説明する。
図１に示すように、穂先竿１、中間竿２、元上竿３（以下、これら穂先竿１、中間竿２、元上竿３を中竿１，２，３と総称する）及び元竿４を伸縮自在に挿嵌して振出し型の中通し竿Ａを構成する。元竿４はリール５を取り付けたリールシート６を備えており、元竿４の外面に取り付けた糸導入ガイド７に形成したガイド孔８から送り込んだ釣り糸９を元竿４に形成した釣り糸導入口１０から挿入して元竿４の内部及び中竿１，２，３の内部に形成した糸案内経路１１を介して穂先竿１の先端の竿先導出口から竿外に送り出すように構成してある。
【００２１】
図２に示すように、糸導入ガイド７は元竿４の竿体１２の竿先側寄りの外面に取り付けられ、糸導入ガイド７に対抗した部位に形成した前記導入口１０の開口縁に耐磨耗性の長円形のセラミックリング１３を備えて、釣り糸９の導入口１０に対する接触抵抗を緩和し、釣り糸９が円滑に繰出せるようにしてある。
【００２２】
前記複数本の中竿１，２，３のうち、元上竿３は元竿４に伸縮自在に連結され、中間竿２は元上竿３に伸縮自在に連結され、穂先竿１は中間竿２に伸縮自在に連結されている。
【００２３】
これらの竿は、ガラス繊維や炭素繊維を含有する樹脂製のプリプレグ素材を芯材に巻回して焼成し、竿尻側ほど大径となる截頭円錐形の筒状に成形される。
【００２４】
元上竿３については、図２に示すように、元竿４の内部に位置している竿尻側端部に底栓１４を設けるとともに、この底栓１４には元上竿３の内部と元竿４の竿体１２内部とを連通させる貫通孔１５を設けてある。
【００２５】
元竿４、元上竿３、中間竿２、穂先竿１のそれぞれの内部空間及び元上竿３の前記底栓１４の貫通孔１５が、釣り糸９の通路としての糸案内径路１１になっている。
【００２６】
中通し竿Ａは、図１に示す如くリール５及び釣り糸９を装着して使用する。リール５から繰り出された釣り糸９が糸導入ガイド７のガイド孔８を通って元竿４の釣り糸導入口１０に至り、この釣り糸導入口１０から元竿４の竿先側の内部を挿通して元上竿３の前記底栓１４に至り、この底栓１４の貫通孔１５から元上竿３、中間竿２、穂先竿１の内部を挿通して穂先竿１の先端の導出口から竿外に出るように釣り糸９を装着して使用する。
【００２７】
図２に示すように、元竿４の竿尻には、尻栓１６を螺合してある。図２及び図４に示すように尻栓１６は大径部１７とネジ部１８とゴム部１９と雄型面ファスナー２０とから成る。大径部１７とネジ部１８とは樹脂又はアルミニュームで一体に形成してある。ゴム部１９は中竿１，２，３を元竿４内に自重落下させたときのための緩衝部材として機能させるもので、ネジ部１８の端面に接着材にて接着してある。雄型面ファスナー２０は中竿１，２，３を引き出すときの元上竿３の外周に纏わり付いた釣り糸９の糸絡みを防止するためのもので、ゴム部１９に接着材を介して接着してある。
【００２８】
フック型（雄型）面ファスナー２０としては、株式会社クラレのマジックテープ（登録商標名）を用いることができる。
【００２９】
元竿４から引き出した中竿１，２，３を収納するときは、釣り糸９をセットしたまま、元上竿３を元竿４内に、中間竿２を元上竿３内に、穂先竿１を中間竿２内にそれぞれ収納する。釣り糸９を取付けたまま中竿１，２，３を元竿４内に収納すると、リール５から引き出されている釣り糸９は元竿４の釣り糸導入口１０より元竿４の竿尻方向に向かい元竿４内に収納された元上竿３の竿尻の底栓１４の貫通孔１５を通って穂先竿１の先端の導出口から外部に導出された状態になっている。
元上竿３の底栓１４の貫通孔１５からその外周面を伝って元竿４の釣り糸導入口１０に至るまでの釣り糸９は、元竿４内で元上竿３が何らかの原因で回転したりすると釣り糸９が元上竿３の外周に巻きつくことがある。特に、釣り糸９や竿が濡れていると竿外周に釣り糸９がくっつきやすい。この状態にあるときに元上竿３を引き出すと元竿４内の釣り糸Ｌが元上竿３の外周に纏わり付いた状態で引き出されるように移動する。
【００３０】
図３に示すように、元竿４の竿尻の尻栓１６の内端面に多数の雄型突起としてのフック状の雄型突起を多数植設した面ファスナー２０を設けてあるので、元上竿３の竿尻から外方に導出された釣り糸９は元上竿３の自重等で雄型面ファスナーのフックに引っ掛っているため、元上竿３が引き出されるに従って、元上竿３に纏わり付いていた釣り糸９が、引っ張られた状態となって釣り糸９にテンションが掛かり、元上竿３に纏わり付いていた釣り糸９が元上竿３から引き出されて絡みつきが解消されるので、釣り糸９が元竿４と元上竿３の間に噛み込むことなく元上竿３を引き出してセッティングすることができる。従って、釣り糸９が竿間に噛み込むことの煩わしさもなく、快適に釣りを楽しむことができる。
【００３１】
〔別実施形態〕
上記の実施形態では、雄型突起としてのフック型面ファスナー２０を尻栓１６に設けたが、図５に示すように、フック型面ファスナー２０を元竿４の竿尻付近の内周に貼着して、尻栓端面と元竿４の竿尻内周面との両方に設けてもよい。
又、尻栓１６には設けずに、元竿４の竿尻付近の内周面にのみフック型面ファスナー２０を貼着してもよい。
【００３２】
雄型突起を元竿４の竿尻付近の内周に設ける場合は、元竿内周面から径方向中心側に突出して元竿４と一体成形された針状突起で構成してもよい。
【００３３】
これらの雄型突起２０は元竿４の竿尻付近だけでなく、元竿４の釣り糸導入口１０付近にも設けてもよい。
【００３４】
雄型突起に代えて、元竿における竿尻付近の内周表面と尻栓１６の内端面、又はこれらのいずれか一方に粘着材を塗着してもよい。塗着手段としては、粘着材を元竿４における竿尻付近の内周表面及び尻栓１６の内端面に直接塗着してもよい。又、両面に粘着材を塗着した両面粘着テープを貼着してもよい。
【００３５】
中竿としては穂先竿１だけのものでもよいし、三本を越える数であってもよい。
【図面の簡単な説明】
【００３６】
【図１】中通し竿の側面図
【図２】元竿の一部拡大縦断面図
【図３】（イ）は元竿内に中竿を収納した状態を示す一部拡大縦断面図、（ロ）は中竿を引き出す途中の状態を示す一部拡大縦断面図
【図４】尻栓の斜視図
【図５】元竿の竿尻付近の別の実施の態様を示す縦断面図
【符号の説明】
【００３７】
４      元竿
５      リール
９      釣り糸
１０    釣り糸導入口
１２    竿体
１６    尻栓
２０    雄型突起
【図１】
0004771418.tif 000002
【図２】
0004771418.tif 000003
【図３】
0004771418.tif 000004
【図４】
0004771418.tif 000005
【図５】
0004771418.tif 000006